【手続補正書】
【提出日】平成28年5月16日(2016.5.16)
【手続補正１】
【補正対象書類名】明細書
【補正対象項目名】発明の名称
【補正方法】変更
【補正の内容】
【発明の名称】歯科矯正学的処置のための、患者固有の交換ブラケットの作製方法
【手続補正２】
【補正対象書類名】特許請求の範囲
【補正対象項目名】全文
【補正方法】変更
【補正の内容】
【特許請求の範囲】
【請求項１】
患者固有の交換ブラケット（３）の作製方法であって、以下のステップ：
ａ）コンピュータ内において、患者の上顎又は下顎の三次元画像を、基準面（９）と共に目標セットアップ内に準備するステップ、
ｂ）上顎又は下顎の歯（５）のための交換ブラケット（３）の作製要請を受けるステップ、
ｃ）交換ブラケット（３）を作製すべき前記歯（５）の少なくとも一つの部分を含む、上顎又は下顎の前記三次元画像の切取り部を決定するステップ、
ｄ）スロット平面（３ＳＥ）のためのマーキング（５ＭＳ）を、前記基準面（９）を用いて、前記切取り部内に生成するステップ、
ｅ）前記マーキング（５ＭＳ）付き前記切取り部の物理的モデルを作るステップ、
ｆ）スロット（３Ｓ）を含むブラケット要素、例えばブラケット本体又は標準ブラケット（２）を準備するステップ、
ｇ）前記ブラケット要素（２）を前記スロット平面（３ＳＥ）に合わせるステップ、及び
ｈ）個別化されたパッドを前記ブラケット要素に割り当て、それにより前記交換ブラケット（３）を作製するステップ、
を備えることを特徴とする方法。
【請求項２】
前記ステップ１ａ）が以下のステップ；
ａ）患者の上顎又は下顎の、患者固有の目標セットアップ（１１）を作るステップ、
ｂ）上顎又は下顎の処置すべき歯（５）に配置すべきブラケット（１）のスロット平面（３ＳＥ）を決定するステップ、
ｃ）上顎又は下顎の処置すべき歯にブラケット（１）を配置するステップ、
ｄ）前記目標セットアップ（１１）内に、前記スロット平面に対して相対的に前記基準面（９）を決定するステップ、
ｅ）前記目標セットアップ（１１）からブラケット（１）を取り除くステップ、及び、
ｆ）前記基準面（９）も含めて前記目標セットアップを電子的に記憶するステップ、
を備えることを特徴とする、請求項１に記載の方法。
【請求項３】
前記ステップ２ａ）が上顎又は下顎の石膏モデル又は仮想モデルを用いて実行されることを特徴とする、請求項１又は２に記載の方法。
【請求項４】
前記ステップ２ｄ）が、前記ステップ２ｃ）より前に実行されることを特徴とする、請求項１から３のいずれか一項に記載の方法。
【請求項５】
前記ステップ２ｆ）における電子的記憶が、物理的な目標セットアップ（１１）をスキャンすることにより、又は、デジタル目標セットアップを記憶することにより行われることを特徴とする、請求項１から４のいずれか一項に記載の方法。
【請求項６】
交換ブラケット（３）として舌側ブラケット又は頬側ブラケットを作製するために、前記ステップ１ｆ）においてブラケット要素（２）として舌側又は頬側のブラケット要素が準備されることを特徴とする、請求項１から５のいずれか一項に記載の方法。
【請求項７】
前記ステップ１ａ）において、前記基準面（９）が、例えば線により連続的に、又は、例えば一点鎖線により断続的に、選択された歯（５）に表現されることを特徴とする、請求項１から６のいずれか一項に記載の方法。
【請求項８】
ステップ１ａ）において前記基準面（９）は、例えば１８から２８までのすべての歯について同じように定義されるか、又は、例えば１３から２３までという選択された領域について定義され、残りの領域については、例えば前記基準面（９）を上下させるなど相対的な移動により定義されることを特徴とする、請求項１から７のいずれか一項に記載の方法。
【請求項９】
前記基準面（９）が前記スロット平面（３ＳＥ）から例えば３〜６ｃｍといった決まった距離だけ離して決定されるか、又は、個別に決定され、とりわけ前記基準面が前記スロット平面と同一であることを特徴とする、請求項１から８のいずれか一項に記載の方法。
【請求項１０】
前記ステップ１ｃ）において決定すべき適切な切取り部が、前記歯（５）の少なくとも一つの部分、及び、望ましくは、とりわけ歯肉部分（５ｇ）が追加され、また任意的に近心及び／又は遠心に隣接する歯の少なくとも一つの部分、望ましくはそれぞれ歯肉部分も含めたその歯全体が追加された、前記の歯（５）を含むことを特徴とする、請求項１から９のいずれか一項に記載の方法。
【請求項１１】
前記マーキング（５ＭＳ）が二次元の線として、又は、三次元の物体、とりわけ前記歯（５）のための保持部分（５Ｈ）として、構成されていることを特徴とする、請求項１から１０のいずれか一項に記載の方法。
【請求項１２】
前記マーキング（５ＭＳ）が二次元の線である場合は、スロット平面（３ＳＥ）におけるスロット（３Ｓ）の上縁又は下縁（３ＯＳ、３ＵＳ）に、三次元の物体である場合はスロット平面（３ＳＥ）の高さに配置され、後者の場合、三次元の物体の咬合−歯肉の方向の厚みは望ましくは、前記ブラケット（１）のこの方向におけるスロットの高さに相当することを特徴とする、請求項１から１１のいずれか一項に記載の方法。
【請求項１３】
前記保持部分（５Ｈ）が、頬側ブラケットのためには舌側に、舌側ブラケットのためには頬側に配置されることを特徴とする、請求項１から１２のいずれか一項に記載の方法。
【請求項１４】
ステップ１ｇ）において前記保持部分（５Ｈ）が技工士ホルダーに接合されることを特徴とする、請求項１から１３のいずれか一項に記載の方法。
【請求項１５】
ステップ１ｅ）においてモデルの作成が、前記切取り部を３Ｄプリンターで印刷することにより行われること、又は、ＣＮＣマシン又は高速プロトタイピングマシンを用いて行われることを特徴とする、請求項１から１４のいずれか一項に記載の方法。
【請求項１６】
ステップ１ｃ）において前記切取り部が手動で、又は、例えばソフトウェアにより自動的に決定されることを特徴とする、請求項１から１５のいずれか一項に記載の方法。
【請求項１７】
ステップ１ｈ）において前記ブラケット本体に個別化されたパッドが接合されること、もしくは、例えば前記歯（５）と前記標準ブラケット（２）のパッドとの間の隙間をプラスチック材料で埋めてこれを硬化させることにより前記標準ブラケット（２）に個別化されたパッドが取り付けられること、を特徴とする、請求項１から１６のいずれか一項に記載の方法。
【請求項１８】
前記ステップ１ｄ）において例えば線又は点の形で二次元のマーキングが生成され、それにより、付属するブラケット（３）のスロット高さ及びアンギュレーションが決定されることを特徴とする、請求項１から１７のいずれか一項に記載の方法。
【請求項１９】
前記ステップ１ｄ）において例えばほぞの形で三次元マーキング（５Ｈ）が生成され、それにより、付属するブラケット（３）のスロット高さ、アンギュレーション、及びトルクが決定されることを特徴とする、請求項１から１８のいずれか一項に記載の方法。
【請求項２０】
前記ステップ１ｄ）において、少なくとも一つのブラケット周辺条件を用いて三次元マーキングが例えばほぞの形で生成され、それにより、付属するブラケットのスロット高さ、アンギュレーション、トルク、及びローテーションが決定されることを特徴とする、請求項１から１９のいずれか一項に記載の方法。
【請求項２１】
ブラケット周辺条件として、スロットに対して垂直に延びる、ブラケット中心上の垂線、又は、スロットの位置及び走り具合が用いられ、該周辺条件は、望ましくは、ステップ１ａ）において準備された上顎又は下顎の三次元画像に追加的に記憶されることを特徴とする、請求項１から２０のいずれか一項に記載の方法。
【請求項２２】
マーキングとしてほぞ状の保持部分（５Ｈ）が生成され、該保持部分（５Ｈ）の一つの側面が、付属するブラケットのスロットの上縁もしくは下縁（３ＯＳ、３ＵＳ）の高さに配置されることを特徴とする、請求項１から２１のいずれか一項に記載の方法。